(57)【特許請求の範囲】
【請求項１】
外部容器と、
その内部に収容されるパウチと、
その外部容器およびパウチを閉じ、パウチ内と外部とを繋ぐ通路に設けられたハウジングを有するバルブアッセンブリと、
前記パウチ内とハウジング内とを連通するディップチューブとを備えた多重エアゾール容器であって、
前記パウチとハウジングとを連結する筒状の連結部を有し、
前記パウチ内とハウジング内とを連通する筒状のディップチューブを有し、
前記連結部とディップチューブとは同軸上に配置され、
前記連結部の少なくともパウチ外の空間に露出している部位の内部には、ディップチューブが挿入され、連結部およびディップチューブの二層構造となっている、
多重エアゾール容器。
【請求項２】
前記ディップチューブが前記連結部と異なる種類の合成樹脂またはステンレススチールからなる、
請求項１記載の多重エアゾール容器。
【請求項３】
前記外部容器内にパウチを２個備えている、
請求項１記載の多重エアゾール容器。
【請求項４】
前記外部容器内に内袋を備えており、
前記パウチが内袋内に収容されている、
請求項１記載の多重エアゾール容器。
【請求項５】
請求項１〜４記載の多重エアゾール容器に、
第１内容物および第２内容物とからなる２液反応型の内容物を充填した、
多重エアゾール製品。
【発明の詳細な説明】
【技術分野】
【０００１】
本発明は、多重エアゾール容器および該多重エアゾール容器を用いた多重エアゾール製品に関する。
【背景技術】
【０００２】
二重エアゾール容器は、外部容器と、その内部に収容される内袋と、外部容器および内袋を閉じるエアゾールバルブとからなる。この二重エアゾール容器の内に内容物を充填し、内袋と外部容器との間に充填される噴射剤とを充填することによって二重エアゾール製品として販売される。そして、エアゾールバルブを開放することによって、内袋が収縮して内容物が外部に吐出される。
【０００３】
このような二重エアゾール容器において、例えば、特許文献１〜３に示すように、内袋として金属箔層を備えたシートを２枚貼り合わせて成形されるパウチが知られている。このようなパウチは、内容物の成分の透過を防止することに優れている。また、パウチは、シート同士が密接するようにして収縮していくため、内容物の残量を小さくできる。一方、パウチはシートからなるため、一般的にパウチをバルブのハウジングに直接溶着する、あるいは連結部材に溶着し、連結部材をエアゾールバルブと連結して用いる。
このような連結部材の材質としては、様々な内容物に対して安定であり、シートとの接着が強固であり、シートとの接着が容易にできることから合成樹脂が一般的に採用されている。
【先行技術文献】
【特許文献】
【０００４】
【特許文献１】実開昭６３−２８６８４号公報
【特許文献２】特許第４３３２４４４号
【特許文献３】WO２０１１／０６７８６８Ａ１
【発明の概要】
【発明が解決しようとする課題】
【０００５】
しかし、本発明者は、パウチ内に充填する内容物の種類によって、その内容物の成分が連結部材を透過し、内容物を劣化していることを突き止めた。
本発明は、内容物に関わらず耐久性の高いパウチを備えた多重エアゾール容器および該多重エアゾール容器を用いた多重エアゾール製品を提供することを目的としている。
【課題を解決するための手段】
【０００６】
本発明の多重エアゾール容器は、外部容器と、その内部に収容されるパウチと、その外部容器およびパウチを閉じ、パウチ内と外部とを繋ぐ通路に設けられたハウジングを有するバルブアッセンブリと、前記パウチ内とハウジング内とを連通するディップチューブとを備えた多重エアゾール容器であって、前記パウチとハウジングとを連結する筒状の連結部を有し、前記パウチ内とハウジング内とを連通する筒状のディップチューブを有し、前記連結部とディップチューブとは同軸上に配置され、前記連結部の少なくともパウチ外の空間に露出している部位の内部には、ディップチューブが挿入され、連結部およびディップチューブの二層構造となっていることを特徴としている。
このような多重エアゾール容器であって、ディップチューブが前記連結部と異なる種類の合成樹脂またはステンレススチールからなるものが好ましい。
前記外部容器内にパウチを２個備えているものが好ましい。
前記外部容器内に内袋を備えており、前記パウチが内袋内に収容されているものが好ましい。
本発明の多重エアゾール製品は、本発明の多重エアゾール容器に、第１内容物および第２内容物とからなる２液反応型の内容物を充填したことを特徴としている。
【発明の効果】
【０００７】
本発明の多重エアゾール容器は、外部容器と、その内部に収容されるパウチと、その外部容器およびパウチを閉じ、パウチ内と外部とを繋ぐ通路に設けられたハウジングを有するバルブアッセンブリと、前記パウチ内とハウジング内とを連通するディップチューブとを備えた多重エアゾール容器であって、前記パウチとハウジングとを連結する筒状の連結部を有し、前記パウチ内とハウジング内とを連通する筒状のディップチューブを有し、前記連結部とディップチューブとは同軸上に配置され、前記連結部の少なくともパウチ外の空間に露出している部位の内部には、ディップチューブが挿入され、連結部およびディップチューブの二層構造となっているため、ディップチューブによりパウチ外の空間に露出している連結部材から内容物が透過や浸透することを防止でき、内容物を安定して保存できる。
前記ディップチューブが前記連結部と異なる種類の合成樹脂またはステンレススチールである場合は内容物に応じて遮断効果の高い材質を選択することができ、特にステンレススチールの場合はこの部位からの内容物の透過や浸透を完全に阻止できる。
前記多重エアゾール容器が外部容器内にパウチを２個備えている場合は、２液式染毛剤などの２液反応型の内容物であっても、各内容物をパウチ内に閉じ込め、それぞれのパウチの連結部からの透過や浸透を防止できるため、安定して保存することができる。
前記多重エアゾール容器が外部容器内に内袋を備えており、前記パウチが内袋内に収容されている場合は、連結部がパウチ外（内袋内）の空間に露出し内容物と接触してもディップチューブにより透過・浸透を防止することができる。
本発明の多重エアゾール製品は、本発明の多重エアゾール容器に、第１内容物および第２内容物とからなる２液反応型の内容物を充填しているため、内容物の透過や浸透を防止でき、内容物を安定して保存することができる。
【図面の簡単な説明】
【０００８】
【図１】本発明の二重エアゾール容器の一実施形態を示す断面図である。
【図２】図１の二重エアゾール容器の一部拡大図である。
【図３】本発明の二重エアゾール容器の他の実施形態を示す断面図である。
【図４】本発明の二重エアゾール容器のさらに他の実施形態を示す断面図である。
【図５】本発明の二重エアゾール容器のさらに他の実施形態を示す断面図である。
【図６】図６ａ、ｂは図５の二重エアゾール容器のバルブホルダーを示す平面図、Ｘ−Ｘ  線断面図であり、図６ｃはそのエアゾールバルブであり、図６ｄ、ｅはそのカバーの断面図、平面図である。
【図７】本発明の三重エアゾール容器のさらに他の実施形態を示す断面図である。
【図８】図７の三重エアゾール容器の一部拡大図である。
【図９】本発明の三重エアゾール容器のさらに他の実施形態を示す断面図である。
【発明を実施するための形態】
【０００９】
図１の二重エアゾール容器１０は、外部容器１１と、その外部容器内に収容される収納部１２ａおよび連結部材１２ｂとからなるパウチ１２と、外部容器１１およびパウチ１２を閉じ、パウチ１２と外部とを繋ぐ通路に設けられたハウジング１３を有するバルブアッセンブリ１４と、パウチ１２内とハウジング１３内とを連通するディップチューブ１５とを備えている。ディップチューブ１５は、連結部材１２ｂを貫通するように配置されている。
この二重エアゾール容器１０のパウチ１２に第１内容物Ａ１を充填し、外部容器１１と
パウチ１２間の空間Ｓに第２内容物Ａ２と噴射剤Ｐを充填することによって、２つの内容物を同時に吐出する二重エアゾール製品となる。
【００１０】
外部容器１１は、底部１１ａ、筒状の胴部１１ｂ、テーパー状の肩部１１ｃ、円筒状の首部１１ｄおよびその上端に肉厚の口部１１ｅを備えた合成樹脂製の耐圧容器である。首部１１ｄおよび口部１１ｅは同軸に並んでおり、内径を同じとしている。つまり、口部１１ｅの外周面は、首部１１ｄの外周面より半径方向外側に突出している。この口部１１ｅの天面に後述するガスケット２９が設けられ、外部容器１１とバルブアッセンブリ１４とをシールする。
この外部容器１１は、ポリエチレンテレフタレート、ポリシクロヘキサンジメチレンテレフタレートなどのポリエステル、ナイロンなどのポリアミド、ポリエチレン、ポリプロピレンなどのポリオレフィンなどの透光性を有する合成樹脂からなる有底筒状のパリソンを軸方向に伸ばしながら内部に空気を吹き込んで膨らます２軸延伸ブロー成型によって成型されている。しかし、筒状のパリソンをダイレクトブロー成型で成型されてもよい。外部容器１１が透光性を有する場合は、内容物の残量や状態を確認できるので好ましい。また、外部容器１１は着色してもよく、紫外線吸収剤を合成樹脂に含有させることで内容物の安定性を向上させることができる。さらに、外部容器の内面および／または外面に炭素やシリカなどを蒸着してもよい。しかし、アルミニウム、ブリキ、ステンレススチール等の金属より成形してもよい。
【００１１】
パウチ１２は、可撓性の収納部１２ａと、その開口部に取り付けられる連結部材１２ｂとからなる。
収納部１２ａは、複数枚のシートを重ね合わせ、または、１枚のシートを折り合わせた後、周縁部を熱溶着や接着などにより貼り合わせて袋体が形成される。その材質は収納部１２ａに充填される内容物に応じて、あるいは、その使用に応じて適宜決定される。
袋体１２ａのシートとしては、たとえば、ポリエチレン（ＰＥ）、ポリプロピレン（ＰＰ）、ポリエチレンテレフタレート(ＰＥＴ)、ナイロン(ＮＹ)、エバール(ＥＶＯＨ)などの単層シートまたはこれらを積層した積層シートなどの合成樹脂シート、前記樹脂シートにシリカ(Ｓｉ)やアルミナ(Ａｌ2Ｏ3)、炭素（Ｃ）などを蒸着した蒸着樹脂シート、アルミニウム（Ａｌ箔）などの金属箔シート、金属箔シートと合成樹脂シートを積層した金属／樹脂シートなどがあげられ、特に、内容物の透過を防止する遮断効果が高い点から、ＰＥ／Ａｌ箔／ＰＥ、ＰＥ／Ａｌ箔／ＰＥT、ＰＥ／Ａｌ箔／ＰＥT／ＰＥなどの金属／樹脂シートが好ましい。
【００１２】
連結部材１２ｂは、図２ａに示すように、下部に袋体の開口部を貼着する面を有する貼着部１６ａを備えており、上部にバルブアッセンブリのハウジング１３と連結する筒状の連結部１６ｂを備えている。貼着部１６ａと連結部１６ｂとの間には環状段部１６ｃが形成されている。また連結部材１２ｂの内部には、ディップチューブ１５を挿入するための上下に貫通する貫通孔１６ｄが形成されている。
連結部材１２ｂの材料としては、ポリエチレン、ポリプロピレン、ポリエチレンテレフタレート、ポリブチレンテレフタレート、ナイロン、ポリアセタール等の合成樹脂が挙げられる。
【００１３】
バルブアッセンブリ１４は、空間Ｓと外部およびパウチ１２と外部とを独立して連通させるバルブ機構を備えている。詳しくは、外部容器１１を閉じる筒状のホルダー部材２１と、そのホルダー部材２１の中心に保持され、パウチ１２を閉じる筒状のハウジング１３と、そのハウジングに上下動自在に挿入され、上下に２つの独立した下ステム孔２２ａおよび上ステム孔２２ｂを有する棒状のステム２２と、そのステム２２の下ステム孔２２ａを閉じる第１ステムラバー２３ａと、そのステム２２の上ステム孔２２ｂを閉じる第２ステムラバー２３ｂと、第１ステムラバー２３ａおよび第２ステムラバー２３ｂを支持する
筒状の保持部材１８と、ステム２２を常時上方に付勢するバネ２４と、ホルダー部材２１の全体を覆い、ホルダー部材２１を外部容器１１に固定するカバー２５とからなる。ステム２２は、下ステム孔２２ａと外部とを連通する第１ステム内通路１９ａおよび上ステム孔２２ｂと外部とを連通する第２ステム内通路１９ｂが形成されている。このバルブアッセンブリ１４は、ホルダー部材２１、ハウジング１３、ステム２２、第１ステムラバー２３ａ、第２ステムラバー２３ｂ、保持部材１８、バネ２４、カバー２５の全部で一つのエアゾールバルブの機能を発揮する。
【００１４】
ホルダー部材２１は、図２に示すように、外部容器１１の開口部の内面１１ｆに沿って挿入される円柱状の栓部２６と、その栓部２６の上端にその栓部より拡径して形成され、口部１１ｅの上面に配置されるフランジ部２７とを備えている。
また、口部１１ｅの上面とフランジ部２７の下面との間に、外部容器をシールするガスケット２９を備えている。栓部２６には、ハウジング１３を挿入する中心孔２６ａが形成されている。中心孔２６ａの内面には、半径方向外側に突出した上下に延びる溝２６ｂが形成されている。この溝２６ｂは、栓部２６とハウジング１３との間に内容物Ｂの通路を形成する。
また栓部２６は、後述するようにハウジング１３内に挿入されるディップチューブ１５の上端の部位までハウジング１３を覆うように構成されている。つまり、栓部２６の中心孔２６ａの下端は、ディップチューブ１５の上端より下方に位置するように構成されている。この実施形態において、ハウジング１３は外部容器１１とパウチ１２の間の空間Ｓに露出される部位を有さない。
【００１５】
ハウジング１３は、バネ２４を支持する環状の底部１３ａと、上部内面に形成された第２ステムラバー２３ｂを保持する環状の第２ラバー保持部１３ｂと、その下方に形成された第１ステムラバー２３ａを保持する環状の第１ラバー保持部１３ｃと、上部外面に形成された半径方向外側に突出する環状のフランジ部１３ｄと、そのフランジ部１３ｄの下方に設けられた環状の段部１３ｅと、下面に形成された下方に突出する筒状の連結部１３ｆとからなる。また、ハウジング１３の上部側面には、ハウジング内外を連通する側連通孔１３ｇが形成されている。環状の段部１３ｅには、側連通孔と連通するスリット１３ｈが設けられている。
カバー２５は、ハウジングのフランジ部１３ｄを挟持するハウジング保持部２５ａと、ホルダー部材のフランジ部２７および外部容器１１の口部１１ｅを上下に挟む固定部２５ｂとからなる。
【００１６】
ディップチューブ１５は、筒状のものであり、その材質としては、ポリエチレン、ポリプロピレン、ナイロン、ポリアセタール、ポリブチレンテレフタレートなどの合成樹脂、ステンレスなどの金属等のガスバリア性の高いものが用いられる。特に、ステンレスが好ましい。ディップチューブ１５の外径は、連結部材１２ｂの貫通孔１６ｄの内面と当接するように構成するのが好ましい。これによりディップチューブ１５と連結部材１２ｂとの間に内容物Ａが入り込まない。特に、ディップチューブ１５と連結部材１２ｂとの間にシール性を持たせるのが好ましい。
【００１７】
この二重エアゾール容器１０において、収納部１２ａ、ディップチューブ１５、ハウジング１３および第１ステムラバー２３ａによって区画される第１空間Ｈ１、ステム２２の第１ステム内通路１９ａがパウチ１２の収納部１２ａ内と外部とを繋ぐ第１通路となる。また、ハウジング１３とホルダー部材２１の間（溝２６ｂ）からスリット１３ｈ、側連通孔１３ｇを通り、ハウジング１３、保持部材１８、第１ステムラバー２３ａおよび第２ステムラバー２３ｂによって区画される第２空間Ｈ２、ステムの第２ステム内通路１９ｂが空間Ｓと外部とを繋ぐ第２通路となる。ステム２２を押し下げると、収納部１２ａに充填されている第１内容物Ａ１は第１通路を通って外部に吐出され、空間Ｓに充填されている
第２内容物Ａ２と噴射剤Ｐは第２通路を通って吐出される。
なお、二重エアゾール容器に充填される内容物としては、混ぜることにより反応して効果を発揮する２液反応型の内容物があげられ、たとえば、２液式染毛剤や２液式パーマなどがあげられる。特に、アンモニアの遮断効果が高いパウチに染毛剤やパーマ剤の第１剤を充填することが好ましく、クリームやゲルなどの粘性を有する形態が好ましい。また空間Ｓは噴射剤とともに充填することができるため、フォーム状にして塗り伸ばしやすくするなど、使用感を向上させることができる。
【００１８】
この二重エアゾール容器１０は、ハウジング１３の連結部１３ｆの外面にパウチ１２の連結部材１２ｂが装着されて、ハウジング１３とパウチの収納部１２ａとが連結される。そして、ハウジング１３の連結部１３ｆの内面にはディップチューブ１５が装着されており、ディップチューブ１５が連結部材１２ｂの貫通孔１６ｄを貫通してハウジング１３とパウチ１２の収納部１２ａとが連通される。このように構成されているため、パウチ１２内に充填される第１内容物Ａ１と連結部材１２ｂの内面とが当接しないように構成されており、連結部材１２ｂから第１内容物Ａ１の透過や浸透を防止できる。特に、連結部材１２ｂにディップチューブ１５が挿入されているため、連結部材１２ｂの少なくとも外部容器１１とパウチ１２との間の空間Ｓに露出している部位において、空間Ｓと内容物の通路とは、少なくとも２部材（２層）を隔てることになる。
この実施の形態では、空間Ｓに第２内容物Ａ２と噴射剤Ｐとを充填し、第１内容物Ａ１と共に吐出できる二重エアゾール製品について説明したが、空間Ｓと外部とが連通しないバルブアッセンブリを用い、空間Ｓに噴射剤Ｐのみを充填してもよい。この場合も、連結部材１２ｂから第１内容物Ａ１の透過や浸透を防止することができるため、外部容器１１から外部に透過や浸透を防止でき、内容物Ａを安定して保管することができる。また、外部容器１１が金属製容器である場合は、腐食を防止することができる。
【００１９】
図３の二重エアゾール容器１０ａは、図１の連結部材１２ｂとハウジング１３とが一体となったハウジング２８を有し、ハウジング２８が連結部２８ａを備えている。他の構成は、図１の二重エアゾール容器１０と実質的に同じであり、外部容器１１、収納部１２ａからなるパウチ１２、ハウジング２８を有するバルブアッセンブリ１４、ディップチューブ１５を備えている。
【００２０】
図４の二重エアゾール容器３０は、外部容器３１と、その外部容器内に収容される収納部１２ａおよび連結部材１２ｂとからなるパウチ１２と、外部容器３１およびパウチ１２を閉じ、パウチ１２と外部とを繋ぐ通路に設けられたハウジング３２を有するバルブアッセンブリ３３と、パウチ１２内とハウジング３２内とを連通するディップチューブ１５とを備えている。ディップチューブ１５は、連結部材１２ｂを貫通するように配置されている。パウチ１２およびディップチューブ１５は、図１のパウチ１２およびディップチューブ１５と実質的に同じでものである。この二重エアゾール容器３０は、パウチの収納部１２ａに内容物Ａを充填し、外部容器３１とパウチ１２の間の空間Ｓに噴射剤Ｐを充填することにより内容物Ａを吐出することができる二重エアゾール製品となる。
外部容器３１は、アルミニウム、ブリキなどの金属製であり、円盤状に成形したスラグをインパクト加工、絞り・しごき加工などにより有底筒状に成形し、さらに、ネッキング加工、ローリング加工などにより肩部３１ａ、ビード部３１ｂを成形したモノブロック缶、あるいは、ツーピース缶である。また、金属板を円筒状に成型して胴部とし、胴部の上下開口部にビード部を備えた目金部と底部とを二重巻締めにより固着したスリーピース缶を用いても良い。
【００２１】
バルブアッセンブリ３３は、パウチ１２を閉じる筒状のハウジング３２と、そのハウジングに上下動自在に挿入される棒状のステム３６と、そのステムのステム孔２２ｃを閉じるリング状のステムラバー２３と、ステム３６を常時上方に付勢するバネ２４と、ハウジ
ング３２のフランジ部３２ｃを挟持し、ハウジング３２を外部容器３１に固定するマウンテンカバー３４とからなる。このバルブアッセンブリ３３は、ハウジング３２、ステム３６、ステムラバー２３、バネ２４、マウンテンカバー３４でエアゾールバルブの機能を発揮する。
ハウジング３２は、バネ２４を支持する環状の底部３２ａと、上部内面に形成されたステムラバー２３を保持する環状のラバー保持部３２ｂと、上部外面に形成された半径方向外側に突出する環状のフランジ部３２ｃと、そのフランジ部３２ｃの下方に設けられた環状の段部３２ｄと、下面に形成された下方に突出する筒状の連結部３２ｅとからなる。連結部３２ｅの内面にディップチューブ１５が挿入され、連結部３２ｅの外面に連結部材１２ｂが挿入される。
マウンテンカバー３４は、ハウジングのフランジ部３２ｃを挟持するハウジング保持部３４ａと、外部容器３１のビード部３１ｂとをガスケット３５を介して巻き締められるマウント部３４ｂとを有している。
【００２２】
この二重エアゾール容器３０も、図１の二重エアゾール容器１０と同様にパウチ１２とハウジング３２とが連結部材１２ｂによって連結され、ディップチューブ１５によって連通される。そのため、パウチ１２内に充填される内容物Ａは連結部材１２ｂの内面と当接しないように構成されており、内容物Ａの透過や浸透を防止し、金属製の外部容器３１の腐食を防止することができる。
【００２３】
図５の二重エアゾール容器４０は、２つの内容物を独立して収納するものである。二重エアゾール容器４０は、外部容器４１と、その外部容器内に収容される第１パウチ４２ａおよび第２パウチ４２ｂと、外部容器４１、第１パウチ４２ａおよび第２パウチ４２ｂを閉じ、第１パウチ４２ａと外部とを繋ぐ第１通路に設けられた第１ハウジング４３ａおよび第２パウチ４２ｂと外部とを繋ぐ第２通路に設けられた第２ハウジング４３ｂを有するバルブアッセンブリ４４と、第１パウチ４２ａと第１ハウジング４３ａとを連通する第１ディップチューブ４５ａおよび第２パウチ４２ｂと第２ハウジング４３ｂとを連通する第２ディップチューブ４５ｂとを備えている。外部容器４１は、図１の外部容器１１と実質的に同じものである。第１パウチ４２ａおよび第２パウチ４２ｂは、図１のパウチ１２と実質的に同じものである。また、第１ディップチューブ４５ａおよび第２ディップチューブ４５ｂは、図１のディップチューブ１５と実質的に同じものである。
この二重エアゾール容器４０は、第１パウチ４２ａに内容物Ａ１を充填し、第２パウチ４２ｂに内容物Ａ２を充填し、外部容器４１とパウチ４２ａ、４２ｂ間の空間Ｓに噴射剤Ｐを充填して、２つの内容物を同時にまたは別々に吐出する二重エアゾール製品とする。内容物としては、２液式染毛剤、２液式パーマ剤などがあげられ、クリームやゲルなどの粘性を有する形態が好ましい。
【００２４】
バルブアッセンブリ４４は、外部容器４１を閉じるバルブホルダー４６と、そのバルブホルダー４６に保持され、第１パウチ４２ａを閉じる第１エアゾールバルブ４７ａおよび第２パウチ４２ｂを閉じる第２エアゾールバルブ４７ｂと、バルブホルダー４６、第１エアゾールバルブ４７ａおよび第２エアゾールバルブ４７ｂを覆うようにしてそれぞれのエアゾールバルブ４７ａ、４７ｂをバルブホルダー４６に固定し、かつ、バルブホルダー４６を外部容器４１の開口部に固定するマウンテンカバー４８とからなる。
【００２５】
バルブホルダー４６は、図５および図６ａ、ｂに示すように、外部容器４１の開口部の内面１１ｆに沿って挿入される円柱状の栓部５１と、外部容器４１の上部に配置される円柱状の蓋部５２と、蓋部の下端に形成され、半径方向外側に突出するフランジ部５３とを有する。フランジ部５３は、外部容器４１の口部１１ｅの上面に配置される（図５参照）。栓部５１の外周には、Ｏ−リング５５を保持する環状凹部５１ａが形成されている（図５参照）。
またバルブホルダー４６には、栓部５１から蓋部５２にかけて上下に貫通して形成された２つの筒状のホルダー部５６が形成されており、蓋部５２の上面には、上方に向かって延びる位置決め突起５７が形成されている。
ホルダー部５６は、栓部５１から蓋部５２にかけて上下に貫通する貫通孔５６ａと、その外側に設けられる環状の係止溝５６ｂと、貫通孔５６ａ内に下方に向かって縮径するように設けられた環状の段部５６ｃとを備えている。
突起５７は、蓋部５２の上面から突出する外形が円柱状の突起である。この突起５７は、バルブアッセンブリおよび二重エアゾール容器の方向（位置）合わせ手段および方向確認手段である。
【００２６】
第１エアゾールバルブ４７ａおよび第２エアゾールバルブ４７ｂは同じものであり、それぞれ第１パウチ４２ａの連結部材１２ｂおよび第２パウチ４２ｂの連結部材１２ｂと連結されるものであり、それぞれのパウチから送り出される内容物の流れを制御する。具体的に、図６ｃに示すように、下部に連結部材１２ｂが連結される筒状のハウジング４３ａ（４３ｂ）と、そのハウジング４３ａ（４３ｂ）内に上下動自在に挿入されるステム３６と、そのステムのステム孔２２ｃを閉じるステムラバー２３と、ステム３６を常時上方に付勢するバネ２４と、ハウジング４３ａ（４３ｂ）の全体を覆うカバー５８とからなる。ステム３６、ステムラバー２３およびバネ２４は、図４のステム３６、ステムラバー２３およびバネ２４と実質的に同じである。
【００２７】
第１ハウジング４３ａは、バネ２４を支持する環状の底部５９ａと、上部内面に形成されたステムラバー２３を保持する環状のラバー保持部５９ｂと、上部外面に形成された半径方向外側に突出する環状のフランジ部５９ｃと、そのフランジ部５９ｃの下方に設けられた環状の溝部５９ｄと、下面に形成された下方に突出する筒状の連結部５９ｅとからなる。この環状の溝部５９ｄには、リング状のシール部材６０が保持される。
【００２８】
このエアゾールバルブ４７ａ（４７ｂ）は、カバー５８の上部側面５８ａをハウジング４３ａ（４３ｂ）方向に環状にカシメることによりステム３６およびステムラバー２３をハウジング４３ａ（４３ｂ）に固定し、ステム孔２２ｃをステムラバー２３により常時シールする。カバーの下端５８ｂは真っ直ぐ下方に延ばしている。
このエアゾールバルブ４７ａ（４７ｂ）は、バルブホルダー４６のホルダー部の貫通孔５６ａに挿入される。その際、エアゾールバルブ４７ａ（４７ｂ）のカバー５８の下端５８ｂは係止溝５６ｂに挿入され、エアゾールバルブ４７ａ（４７ｂ）のシール部材６０は段部５６ｃに当接され、貫通孔５６ａとエアゾールバルブ４７ａ（４７ｂ）との間はシールされる。そのため、このエアゾールバルブ４７ａ、ｂのハウジング４３ａ、ｂは、外部容器４１とパウチ１２の間の空間Ｓに露出される部位を有さない。そして、栓部５１の貫通孔５６ａの下端は、ディップチューブ１５の上端より下方に位置するように構成されている。
【００２９】
マウンテンカバー４８は、図５および図６ｄ、ｅに示すように、バルブホルダー４６およびエアゾールバルブ４７ａ（４７ｂ）を覆う円筒状のカバー部４８ａと、バルブホルダー４６のフランジ部５３と外部容器４１の口部１１ｅとを固定し、カバー部４８ａより大きい径の円筒状の固定部４８ｂとを有する。
カバー部４８ａは、その上底にエアゾールバルブのステム３６および位置決め突起５７を通す３つの挿通孔４８ｃを有している。また、カバー部４８ａは、その上底の下面とエアゾールバルブ４７ａ（４７ｂ）のカバー５８の上面、および、その上底の下面と突起５７付近においてバルブホルダー４６の上面とが当接するように下方に押し付けられた状態でカシメられており、上面に凹み部４８ｄが形成されている。
【００３０】
このように構成されているため、第１パウチ４２ａの収納部１２ａから第１ディップチ
ューブ４５ａ、第１ハウジング４３ａ、ステム３６が第１パウチ４２ａの収納部１２ａ内と外部とを繋ぐ第１通路となり、第２パウチ４２ｂの収納部１２ａから第２ディップチューブ４５ｂ、第２ハウジング４３ｂ、ステム３６が第２パウチ４２ｂの収納部１２ａ内と外部とを繋ぐ第２通路となる。
つまり、それぞれのハウジング４３ａ（４３ｂ）の連結部５９ｅの外面にそれぞれのパウチの連結部材１２ｂが装着されて、ハウジング４３ａ（４３ｂ）とパウチ４２ａ（４２ｂ）とが連結される。一方、それぞれのハウジング４３ａ（４３ｂ）の連結部５９ｅの内面にディップチューブ４５ａ（４５ｂ）が装着されて、ハウジング４３ａ（４３ｂ）とパウチ４２ａ（４２ｂ）とが連通される。このように構成されているため、パウチ４２ａ（４２ｂ）内に充填される内容物Ａ１、Ａ２は連結部材１２ｂの内面と当接せず、内容物の透過や浸透を防止できる。さらに、長期間保存することによって、一方の内容物の成分がパウチから透過しても、その成分が他方のパウチ内に侵入することを防止する。そのため、２つの内容物Ａ１、Ａ２が混合されることによるさらなる製品の劣化を防止することができる。
【００３１】
図７の三重エアゾール容器７０は、外部容器７１と、その外部容器内に収容される可撓性を有する中容器７２と、その中容器内に収容されるパウチ１２と、外部容器７１、中容器７２およびパウチ１２を閉じるバルブアッセンブリ７３と、パウチ１２とバルブアッセンブリのハウジングとを連通するディップチューブ１５とを備えている。パウチ１２、ディップチューブ１５は、図１のパウチ１２、ディップチューブ１５と実質的に同じものである。
この三重エアゾール容器７０は、パウチ１２内に第１内容物Ａ１が充填され、外部容器７１と中容器７２との間の第１空間Ｓ１に第２内容物Ａ２が充填され、中容器７２とパウチ１２との間の第２空間Ｓ２に噴射剤Ｐが充填されて、内容物Ａ１とＡ２を同時に吐出する三重エアゾール製品となる。
【００３２】
外部容器７１は、図１の外部容器１１と同様に、底部１１ａ、筒状の胴部１１ｂ、テーパー状の肩部１１ｃ、筒状の首部１１ｄおよびその上端に肉厚の口部１１ｅを備えた合成樹脂製の耐圧容器である。
【００３３】
中容器７２は、第２内容物Ａ２を充填する前の状態では外部容器７１の内面と当接する形状、つまり、外部容器７１の内面と実質的に同一形状（略同一の形状）を呈している。そして、第２内容物Ａ２が充填されることにより中容器７２は圧縮される。図７の中容器７２は、若干潰されたものである。中容器７２は、底部７２ａ、筒状の胴部７２ｂ、テーパー状の肩部７２ｃ、筒状の首部７２ｄおよび首部の上端に半径方向外側に突出したフランジ部７２ｅを備えた合成樹脂製の可撓性を有する容器である。図８に示すように、フランジ部７２ｅの一部外縁にスリット７２ｆが複数環状に形成されている。しかし、フランジ部７２ｅの外縁全体が外部容器のフランジ部１１ｅの外縁より若干内側となるように設計してもよい。また、フランジ部７２ｅの下面に半径方向に延びる下溝７２ｇが複数本形成されており、首部の外周面に上下方向に延びる外溝７２ｈが複数本形成されている。前記外溝７２ｈ、下溝７２ｇ、スリット７２ｆは、外部容器内の空間Ｓ１と連通するように形成される。また中容器の首部７２ｄおよび口部７２ｅの内周面は、後述するバルブアッセンブリ７３のハウジングの外周と密に嵌合するように寸法が設計されている。
【００３４】
中容器７２も外部容器７１と同様に、ポリエチレンテレフタレート、ポリシクロヘキサンジメチレンテレフタレートなどのポリエステル、ナイロンなどのポリアミド、ポリエチレン、ポリプロピレンなどのポリオレフィン等の合成樹脂からなる有底筒状のパリソンを２軸延伸ブロー成型によって成型することができ、特に、外部容器のパリソンの中に中容器のパリソンを入れて同時にブロー成型することもできる。
【００３５】
バルブアッセンブリ７３は、第１空間Ｓ１と外部およびパウチ１２と外部とを独立して連通させるバルブ機構を備えており、かつ、第２空間Ｓ２を密封する。詳しくは、筒状のホルダー部材７５と、それに保持される筒状のハウジング７６と、そのハウジング７６内に上下動自在に挿入され、上下に２つの独立した下ステム孔７７ａおよび上ステム孔７７ｂを有するステム７７と、そのステムの下ステム孔７７ａを閉じる第１ステムラバー７８と、そのステムの上ステム孔７７ｂを閉じる第２ステムラバー７９と、第１ステムラバー７８および第２ステムラバー７９を支持する筒状の保持部材８０と、ステム７７を常時上方に付勢するバネ８１と、ハウジング７６の全体を覆い、ハウジング７６を外部容器７１に固定するマウンテンカバー８２とを有している。
【００３６】
ホルダー部材７５は、図８に示すように、中容器７２の首部７２ｄを介して外部容器７１の開口部の内面１１ｆに沿って挿入され、その内面でハウジング７６を保持する筒状の栓部８６と、半径方向外側に突出しており、中容器７２のフランジ部７２ｅを介して外部容器７１の口部７１ｅの上に設けられるフランジ部８７とを有する。栓部８６の外周には、Ｏ−リング８５を保持する環状凹部８６ａが形成されている。
栓部８６には、ハウジング７６を挿入する中心孔８６ｂが形成されている。この栓部８６は、後述するようにハウジング７６内に挿入されるディップチューブ１５の上端の部位までハウジング７６を覆うように構成されている。つまり、栓部８６の中心孔８６ｂの下端は、ディップチューブ１５の上端より下方に位置するように構成されている。このハウジング７６は中容器７２とパウチ１２の間の空間Ｓ２に露出される部位を有さない。
またホルダー部材７５のフランジ部８７の一部外縁に、切欠き７５ａが形成されており、それと連続してフランジ部８７の上面に半径方向に延びる連通溝７５ｂが形成されている。この切欠き７５ａは、中容器７２のスリット７２ｆと連通するように形成される。
【００３７】
ハウジング７６は、バネ８１を支持する環状の底部７６ａと、上部内面に形成された第２ステムラバー７９を保持する環状の第２ラバー保持部７６ｂと、その下方に形成された第１ステムラバー７８を保持する環状の第１ラバー保持部７６ｃと、上部外面に形成された半径方向外側に突出する環状のフランジ部７６ｄと、そのフランジ部７６ｄの下方に設けられた環状の段部７６ｅと、下面に形成された下方に突出する筒状の連結部７６ｆとからなる。また、ハウジング７６の上部側面には、ハウジング内外を連通する側連通孔７６ｇが形成されている。環状の段部７６ｅには、リング状のシール部材９１が保持される。連結部７６ｆの内部にはディップチューブ１５が挿入して連結され、連結部７６ｆの外周にはパウチ１２の連結部材１２ｂが連結される。
【００３８】
ステム７７は、上下に２つの独立した下ステム孔７７ａおよび上ステム孔７７ｂを有しており、内部にそれぞれのステム孔７７ａ、７７ｂと独立して外部に連通する第１ステム内通路７７ｃ、第２ステム内通路７７ｄを有する。
第１ステムラバー７８および第２ステムラバー７９は、ステム７７を通すものであり、それぞれ上下のステム孔７７ａ、ｂを塞ぐ位置に設けられるリング状のシール材である。
保持部材８０は、筒状のものであり、第１ステムラバー７８と第２ステムラバー７９との間に設けられ、ステム７７を押し下げたときに第１ステムラバー７８と第２ステムラバー７９が安定した形状に撓むように保持するものである。また、側連通孔７６ｇと保持部材８０内とを連通するように側面には、連通孔８０ａが形成されている。
カバー８２は、ハウジングのフランジ部７６ｄを挟持するハウジング保持部８２ａと、ホルダー部材のフランジ部８７および外部容器７１の口部１１ｅを上下に挟む固定部８２ｂとからなる。
【００３９】
バルブアッセンブリ７３は、ハウジング７６および第１ステムラバー７８によってバルブ内第１空間Ｈ１を形成し、ハウジング７６、保持部材８０、第１ステムラバー７８および第２ステムラバー７９によってバルブ内第２空間Ｈ２を形成する。つまり、パウチ１２
の収納部１２ａからディップチューブ１５、ハウジングのバルブ内第１空間Ｈ１、ステム７７の第１ステム内通路７７ｃがパウチ１２の収納部１２ａ内と外部とを繋ぐ第１通路となり、空間Ｓ１から中容器の首部の外溝７２ｈ、フランジ部の下溝７２ｇ、スリット７２ｆ、ホルダー部材の切欠き７５ａ、連通溝７５ｂ、ハウジングの側連通孔７６ｇ、バルブ内第２空間Ｈ２、ステムの第２ステム内通路７７ｄが空間Ｓ１と外部とを繋ぐ第２通路となる。
この三重エアゾール容器７０も、ハウジング７６の連結部７６ｆの外面にパウチの連結部材１２ｂが装着されて、ハウジング７６とパウチ１２とが連結される。一方、ハウジング７６の連結部７６ｆの内面にディップチューブ１５が装着されて、ハウジング７６とパウチ１２とが連通される。そのため、パウチ１２内に充填される第１内容物Ａ１は連結部材１２ｂ内を通らず、第１内容物Ａ１の透過を防止できる。さらに、長期間保存することによって、第１空間Ｓ１の第２内容物Ａ２の成分が中容器を透過して第２空間Ｓ２に侵入しても、その成分がパウチ１２内に侵入することを防止する。そのため、２つの内容物Ａ１、Ａ２が混合されることによるさらなる製品の劣化を防止することができる。
【００４０】
図９の三重エアゾール容器９５は、図４の二重エアゾール容器３０のパウチ１２と外部容器３１との間に中容器９６を設けたものである。この三重エアゾール容器９５のパウチ１２内に第１内容物Ａ１を充填し、外部容器３１と中容器９６との間の第１空間Ｓ１に噴射剤Ｐを充填し、中容器９６とパウチ１２との間の第２空間Ｓ２に第２内容物Ａ２を充填することにより、２種類の内容物を同時に吐出する三重エアゾール製品となる。
このものも図４の二重エアゾール容器３０と同様に、パウチ１２とハウジング３２とが連結部材１２ｂによって連結され、ディップチューブ１５によって連通される。そのため、パウチ１２内に充填される第１内容物Ａ１は連結部材１２ｂの内面と当接しないように構成されており、第１内容物Ａ１の透過や浸透を防止できる。また、第２内容物Ａ２が連結部材１２ｂを透過してもディップチューブにより遮断され、２つの内容物を安定して保存することができる。
【符号の説明】
【００４１】
Ａ  内容物
Ａ１  第１内容物
Ａ２  第２内容物
Ｐ  噴射剤
Ｓ  空間
Ｓ１  第１空間
Ｓ２  第２空間
１０、１０ａ  二重エアゾール容器
１１  外部容器
１１ａ  底部
１１ｂ  胴部
１１ｃ  肩部
１１ｄ  首部
１１ｅ  口部
１１ｆ  外部容器の開口部の内面
１２  パウチ
１２ａ  収納部
１２ｂ  連結部材
１３  ハウジング
１３ａ  底部
１３ｂ  第２ラバー保持部
１３ｃ  第１ラバー保持部
１３ｄ  フランジ部
１３ｅ  段部
１３ｆ  連結部
１３ｇ  側連通孔
１３ｈ  スリット
１４  バルブアッセンブリ
１５  ディップチューブ
１６ａ  貼着部
１６ｂ  連結部
１６ｃ  環状段部
１６ｄ  貫通孔
１８  保持部材
１９ａ  第１ステム内通路
１９ｂ  第２ステム内通路
２１  ホルダー部材
２２  ステム
２２ａ  下ステム孔
２２ｂ  上ステム孔
２２ｃ  ステム孔
２３  ステムラバー
２３ａ  第１ステムラバー
２３ｂ  第２ステムラバー
２４  バネ
２５  カバー
２５ａ  ハウジング保持部
２５ｂ  固定部
２６  栓部
２６ａ  中心孔
２６ｂ  溝
２７  フランジ部
２８  ハウジング
２８ａ  連結部
２９  ガスケット
３０  二重エアゾール容器
３１  外部容器
３１ａ  肩部
３１ｂ  ビード部
３２  ハウジング
３２ａ  底部
３２ｂ  ラバー保持部
３２ｃ  フランジ部
３２ｄ  段部
３２ｅ  連結部
３３  バルブアッセンブリ
３４  マウンテンカバー
３４ａ  ハウジング保持部
３４ｂ  マウント部
３５  ガスケット
３６  ステム
４０  二重エアゾール容器
４１  外部容器
４２ａ  第１パウチ
４２ｂ  第２パウチ
４３ａ  第１ハウジング
４３ｂ  第２ハウジング
４４  バルブアッセンブリ
４５ａ  第１ディップチューブ
４５ｂ  第２ディップチューブ
４６  バルブホルダー
４７ａ  第１エアゾールバルブ
４７ｂ  第２エアゾールバルブ
４８  マウンテンカバー
４８ａ  カバー部
４８ｂ  固定部
４８ｃ  挿通孔
４８ｄ  凹み部
５１  栓部
５１ａ  環状凹部
５２  蓋部
５３  フランジ部
５５  Ｏ−リング
５６  ホルダー部
５６ａ  貫通孔
５６ｂ  係止溝
５６ｃ  段部
５７  位置決め突起
５８  カバー
５８ａ  上部側面
５８ｂ  下端
５９ａ  底部
５９ｂ  ラバー保持部
５９ｃ  フランジ部
５９ｄ  溝部
５９ｅ  連結部
６０  シール部材
７０  三重エアゾール容器
７１  外部容器
７２  中容器
７２ａ  底部
７２ｂ  胴部
７２ｃ  肩部
７２ｄ  首部
７２ｅ  フランジ部
７２ｆ  スリット
７２ｇ  下溝
７２ｈ  外溝
７３  バルブアッセンブリ
７５  ホルダー部材
７５ａ  切欠き
７５ｂ  連通溝
７６  ハウジング
７６ａ  底部
７６ｂ  第２ラバー保持部
７６ｃ  第１ラバー保持部
７６ｄ  フランジ部
７６ｅ  段部
７６ｆ  連結部
７６ｇ  側連通孔
７７  ステム
７７ａ  下ステム孔
７７ｂ  上ステム孔
７７ｃ  第１ステム内通路
７７ｄ  第２ステム内通路
７８  第１ステムラバー
７９  第２ステムラバー
８０  保持部材
８０ａ  連通孔
８１  バネ
８２  マウンテンカバー
８２ａ  ハウジング保持部
８２ｂ  固定部
８５  Ｏ−リング
８６  栓部
８６ａ  環状凹部
８６ｂ  中心孔
８７  フランジ部
９１  シール材
９５  三重エアゾール容器
９６  中容器
Ｈ１  バルブ内第１空間
Ｈ２  バルブ内第２空間
【図１】
0005830374.tif 000002
【図２】
0005830374.tif 000003
【図３】
0005830374.tif 000004
【図４】
0005830374.tif 000005
【図５】
0005830374.tif 000006
【図６】
0005830374.tif 000007
【図７】
0005830374.tif 000008
【図８】
0005830374.tif 000009
【図９】
0005830374.tif 000010